(57)【要約】【課題】アンテナモジュール１０からの照射電波（検査用電波Ｗ１）を、検査対象となるそれぞれのＲＦＩＤ情報媒体（ラベル片４）のみに照射して、隣接するＲＦＩＤ情報媒体４に検査用電波Ｗ１の影響を及ぼさずに、個々のＲＦＩＤ情報媒体４の通信性能を適正に検査可能なＲＦＩＤ情報媒体の通信性能検査装置を提供すること。【解決手段】アンテナモジュール１０を電波遮断体２１に格納すること、および電波遮断体２１内に電波吸収体２７を設けることに着目したもので、アンテナモジュール１０を格納する電波遮断体２１と、電波遮断体２１の内壁面に取り付ける電波吸収体２７と、を有し、電波遮断体２１には、ＲＦＩＤ連続体（ラベル連続体１）の導入口２８および導出口２９を形成してあるとともに、導入口２８から電波遮断体２１内に移送されてくるＲＦＩＤ連続体１のＲＦＩＤ情報媒体４をアンテナモジュール１０に対向させることを特徴とする。【選択図】図１
2012234250.tif 000002
【特許請求の範囲】
【請求項１】
無線によるデータ通信が可能なＲＦＩＤ情報媒体の複数枚を連設したＲＦＩＤ連続体に、アンテナモジュールから検査用電波を照射して前記ＲＦＩＤ情報媒体の通信性能を検査するためのＲＦＩＤ情報媒体の通信性能検査装置であって、
前記アンテナモジュールを格納する電波遮断体と、
この電波遮断体の内壁面に取り付ける電波吸収体と、を有し、
前記電波遮断体には、前記ＲＦＩＤ連続体の導入口および導出口を形成してあるとともに、
この導入口から前記電波遮断体内に移送されてくる前記ＲＦＩＤ連続体の前記ＲＦＩＤ情報媒体を前記アンテナモジュールに対向させることを特徴とするＲＦＩＤ情報媒体の通信性能検査装置。
【請求項２】
前記電波遮断体は、前記導入口から前記導出口に移送されてゆく前記ＲＦＩＤ連続体の支持台を有するとともに、
この支持台には、照射用支持台スリットを形成し、この照射用支持台スリットを通して単一の前記ＲＦＩＤ情報媒体が前記アンテナモジュールに対向することができるようにしていることを特徴とする請求項１記載のＲＦＩＤ情報媒体の通信性能検査装置。
【請求項３】
前記支持台が前記アンテナモジュールに向かう面には、前記電波吸収体を設けてあることを特徴とする請求項２記載のＲＦＩＤ情報媒体の通信性能検査装置。
【請求項４】
前記支持台が前記アンテナモジュールに向かう面に設けた前記電波吸収体には、前記支持台の前記照射用支持台スリットに対応して照射用吸収体スリットを形成してあることを特徴とする請求項３記載のＲＦＩＤ情報媒体の通信性能検査装置。
【請求項５】
前記支持台は、前記電波遮断体の内部を、前記ＲＦＩＤ連続体の移送空間部と、前記アンテナモジュールの格納空間部と、に区画することを特徴とする請求項２ないし４のいずれかに記載のＲＦＩＤ情報媒体の通信性能検査装置。
【請求項６】
前記アンテナモジュールは、前記電波遮断体の内部において前記ＲＦＩＤ連続体に対してこれを移動可能に取り付けてあることを特徴とする請求項１ないし５のいずれかに記載のＲＦＩＤ情報媒体の通信性能検査装置。
【請求項７】
前記アンテナモジュールと前記ＲＦＩＤ情報媒体との間の距離を計測可能な距離計測器を有することを特徴とする請求項１ないし６のいずれかに記載のＲＦＩＤ情報媒体の通信性能検査装置。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）情報媒体の通信性能検査装置にかかるもので、とくにＲＦＩＤ情報媒体を複数枚連ねたＲＦＩＤ連続体を移送し、それぞれのＲＦＩＤ情報媒体の通信性能を検査するためのＲＦＩＤ情報媒体の通信性能検査装置に関するものである。
【背景技術】
【０００２】
従来から、ＩＣチップおよびＲＦＩＤアンテナを有して無線によりデータの書込みおよび読取りを行うことができるＲＦＩＤ情報媒体をラベルあるいはタグなどの形態とし、各種物品についての各種データの読み書きを行って、必要なデータ管理など諸々の分野に利用している。
【０００３】
図２は、従来からのＲＦＩＤ情報媒体の例を示す平面図であって、図２（１）は、ＲＦＩＤ情報媒体によるラベル連続体１（ＲＦＩＤ連続体）の形態を示し、図２（２）は、ＲＦＩＤ情報媒体によるタグ連続体２（ＲＦＩＤ連続体）の形態を示している。
図２（１）に示すように、ラベル連続体１は、帯状の台紙３の上に単葉のラベル片４（ＲＦＩＤ情報媒体）の複数枚を仮着してあり、ラベル片４の裏面側には粘着剤層５を形成して、ラベル片４を台紙３からはがして所定の物品（図示せず）に貼り付け可能としている。
ラベル片４は、ＩＣチップ６およびＲＦＩＤアンテナ７を有し、ＵＨＦ帯（３００ＭＨｚ〜３ＧＨｚ（好ましくは８６０〜９６０ＭＨｚ、さらに具体的には、４３３ＭＨｚ、９００ＭＨｚ、９２０〜９２５ＭＨｚ、９５０〜９５６ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、ＲＦＩＤアンテナ７を介してＩＣチップ６に必要なデータの無線による読み取りおよび書き込み（データ通信）を行う。
ただし、それぞれの使用電波に応じてＩＣチップ６およびＲＦＩＤアンテナ７の具体的構成を適正なものとしている。
【０００４】
図２（２）に示すように、タグ連続体２は、ラベル連続体１における台紙３を有さず、タグ片８（ＲＦＩＤ情報媒体）の複数枚を連設し、ミシン目９において分離可能としている。
タグ片８は、ラベル片４と同様に、ＩＣチップ６およびＲＦＩＤアンテナ７を有して、無線によるデータ通信を可能としている。
【０００５】
これらのラベル連続体１におけるラベル片４、およびタグ連続体２におけるタグ片８のそれぞれの通信性能を検査する必要がある。
図３は、通信性能の検査を行うためのアンテナモジュール１０、および検査対象の一例としてラベル連続体１を示す概略側面図である。
アンテナモジュール１０は、ラベル片４との間におけるデータ通信用のリーダーライターとしての機能を有するもので、これに対向してラベル連続体１を移送し、アンテナモジュール１０からラベル連続体１のラベル片４に検査用電波Ｗ１を照射してその通信性能を検査する。
【０００６】
しかしながら、ラベル連続体１との間のデータ通信用として、とくにＵＨＦ帯（たとえば、９５０ＭＨｚ）レベルの波長を有する電波を使用するものでは、その通信距離が通常は５〜１０ｍ程度であり、ラベル連続体１などラベル片４を連続した形態のものでは、ラベル片４を一枚ずつ切り分け区分して検査を行うことができないことから、検査したいラベル片４以外の隣接するラベル片４にも検査用電波Ｗ１が照射されて、誤読が発生するなど、正確な検査を行うことが困難であるという問題がある。
したがって、通常は、ラベル連続体１のごく近傍にアンテナモジュール１０を配置し、低出力による微弱電波での仮想条件のもとで検査する必要があるという問題がある。
しかも、誤読を回避するために微弱電波による通信性能の検査を行うためには、アンテナモジュール１０に対するラベル連続体１の検査位置（通信位置）を非常にきびしく設定する必要があるという問題がある。
また、アンテナモジュール１０による照射波（検査用電波Ｗ１）の出力を上げれば、隣接するラベル片４の誤読はもちろん、アンテナモジュール１０から出た検査用電波Ｗ１が壁や天井などに反射して戻る反射波Ｗ２による影響もあって、正確な性能検査を行うことが困難であるという問題がある。
【０００７】
もちろん、通信距離が比較的短い他の周波数帯を用いるラベル連続体１やタグ連続体２でも同様の諸問題がある。
【先行技術文献】
【特許文献】
【０００８】
【特許文献１】特開２００６−１２７０７５号公報
【発明の概要】
【発明が解決しようとする課題】
【０００９】
本発明は以上のような諸問題にかんがみなされたもので、ＲＦＩＤ連続体として構成された個々のＲＦＩＤ情報媒体の通信性能を適正に検査可能なＲＦＩＤ情報媒体の通信性能検査装置を提供することを課題とする。
【００１０】
また本発明は、隣接するＲＦＩＤ情報媒体に照射電波（検査用電波）の影響を及ぼすことがないＲＦＩＤ情報媒体の通信性能検査装置を提供することを課題とする。
【００１１】
また本発明は、アンテナモジュールからの照射電波を、検査対象となるそれぞれのＲＦＩＤ情報媒体のみに照射可能なＲＦＩＤ情報媒体の通信性能検査装置を提供することを課題とする。
【００１２】
また本発明は、アンテナモジュールを低出力および近傍設置型とすることなく、適正なレベルの検査用電波を照射するとともに、検査対象となるそれぞれのＲＦＩＤ情報媒体との間の間隔もそれほどきびしく設定する必要がないＲＦＩＤ情報媒体の通信性能検査装置を提供することを課題とする。
【００１３】
また本発明は、アンテナモジュールからの照射電波の反射波の影響を低減可能なＲＦＩＤ情報媒体の通信性能検査装置を提供することを課題とする。
【課題を解決するための手段】
【００１４】
すなわち本発明は、アンテナモジュールを電波遮断体に格納すること、および電波遮断体内に電波吸収体を設けることに着目したもので、無線によるデータ通信が可能なＲＦＩＤ情報媒体の複数枚を連設したＲＦＩＤ連続体に、アンテナモジュールから検査用電波を照射して上記ＲＦＩＤ情報媒体の通信性能を検査するためのＲＦＩＤ情報媒体の通信性能検査装置であって、上記アンテナモジュールを格納する電波遮断体と、この電波遮断体の内壁面に取り付ける電波吸収体と、を有し、上記電波遮断体には、上記ＲＦＩＤ連続体の導入口および導出口を形成してあるとともに、この導入口から上記電波遮断体内に移送されてくる上記ＲＦＩＤ連続体の上記ＲＦＩＤ情報媒体を上記アンテナモジュールに対向させることを特徴とするＲＦＩＤ情報媒体の通信性能検査装置である。
【００１５】
上記電波遮断体は、上記導入口から上記導出口に移送されてゆく上記ＲＦＩＤ連続体の支持台を有するとともに、この支持台には、照射用支持台スリットを形成し、この照射用支持台スリットを通して単一の上記ＲＦＩＤ情報媒体が上記アンテナモジュールに対向することができるようにしていることができる。
【００１６】
上記支持台が上記アンテナモジュールに向かう面には、上記電波吸収体を設けてあることができる。
【００１７】
上記支持台が上記アンテナモジュールに向かう面に設けた上記電波吸収体には、上記支持台の上記照射用支持台スリットに対応して照射用吸収体スリットを形成してあることができる。
【００１８】
上記支持台は、上記電波遮断体の内部を、上記ＲＦＩＤ連続体の移送空間部と、上記アンテナモジュールの格納空間部と、に区画することができる。
【００１９】
上記アンテナモジュールは、上記電波遮断体の内部において上記ＲＦＩＤ連続体に対してこれを移動可能に取り付けてあることができる。
【００２０】
上記アンテナモジュールと上記ＲＦＩＤ情報媒体との間の距離を計測可能な距離計測器を有することができる。
【発明の効果】
【００２１】
本発明によるＲＦＩＤ情報媒体の通信性能検査装置においては、アンテナモジュールを電波遮断体に格納するとともに、電波遮断体内に電波吸収体を設けるようにしたので、外部からの反射波などの影響を遮断し、さらにアンテナモジュールから照射する検査用電波をラベル連続体やタグ連続体などのＲＦＩＤ連続体に集中することができ、隣接するラベル片やタグ片などのＲＦＩＤ情報媒体に影響を及ぼすことなくその通信性能を検査することができる。
【図面の簡単な説明】
【００２２】
【図１】本発明の実施例によるＲＦＩＤ情報媒体の通信性能検査装置２０の縦断面図である。
【図２】従来からのＲＦＩＤ情報媒体の例を示す平面図であって、図２（１）は、ＲＦＩＤ情報媒体によるラベル連続体１（ＲＦＩＤ連続体）の形態を示し、図２（２）は、ＲＦＩＤ情報媒体によるタグ連続体２（ＲＦＩＤ連続体）の形態を示している。
【図３】同、通信性能の検査を行うためのアンテナモジュール１０、および検査対象の一例としてラベル連続体１を示す概略側面図である。
【発明を実施するための形態】
【００２３】
本発明は、アンテナモジュールを格納した電波遮断体内に電波吸収体を取り付けて、単一のＲＦＩＤ情報媒体に限定してその通信性能を検査可能なＲＦＩＤ情報媒体の通信性能検査装置を実現した。
【実施例】
【００２４】
つぎに本発明の実施例によるＲＦＩＤ情報媒体の通信性能検査装置２０を図１にもとづき説明する。ただし、図２および図３と同様の部分には同一符号を付し、その詳述はこれを省略する。
図１は、ＲＦＩＤ情報媒体の通信性能検査装置２０の縦断面図であって、通信性能検査装置２０は、前記アンテナモジュール１０を格納する電波遮断体２１を有する。
電波遮断体２１は、支柱２２と、支柱２２に起立支持した検査ハウジング２３と、検査ハウジング２３の底板２４と、検査ハウジング２３の天蓋２５と、検査ハウジング２３の内部上方部にまたがって設けた支持台２６と、電波遮断体２１の内壁面や支持台２６さらにはアンテナモジュール１０に取り付ける電波吸収体２７と、を有する。
【００２５】
電波遮断体２１は、電波を遮断可能な材料、たとえばステンレスなどの合金、鉄、アルミニウムなど金属製のものであって、その検査ハウジング２３の互いに対向する壁面には、ＲＦＩＤ連続体（図示の例ではラベル連続体１）の導入口２８および導出口２９を形成してある。
ラベル連続体１は、その供給部３０にロール状にこれを保持し、当該通信性能検査装置２０に向かって帯状に繰り出して、この導入口２８から電波遮断体２１内に移送し、そのＲＦＩＤ情報媒体（図示の例ではラベル片４）をアンテナモジュール１０に対向させてその性能を検査可能とし、導出口２９から排出して、巻取り部３１にロール状に巻き取り可能とする。
【００２６】
底板２４には、ネジ付きロッド３２をつまみ３３により回転操作可能に取り付け、ネジ付きロッド３２の頂部にモジュール固定板３４を固定して、モジュール固定板３４にアンテナモジュール１０を固定している。
かくして、アンテナモジュール１０は、電波遮断体２１の内部においてラベル連続体１に対してこれを接近および離反するように移動可能に取り付けてある。
【００２７】
さらに、モジュール固定板３４には、距離計測器３５を設ける。
距離計測器３５は、モジュール固定板３４の底部からネジ付きロッド３２に平行して取り付けた計測ロッド３６と、計測ロッド３６の先端に取り付けた指針３７と、底板２４に取り付けた距離計測目盛り３８と、を有する。
したがって、つまみ３３の回転操作にともなってラベル連続体１に対して図１中、上下動するアンテナモジュール１０とラベル連続体１との間の距離を指示可能ないし計測可能である。
【００２８】
天蓋２５は、検査ハウジング２３の頂部に開閉可能にこれを設けてあり、電波遮断体２１の内部を確認可能としている。
【００２９】
支持台２６は、電波遮断体２１の導入口２８から導出口２９に移送されてゆくラベル連続体１の下面を支持する。
この支持台２６には、ラベル片４と同等の形状および大きさを有する照射用支持台スリット３９を形成し、この照射用支持台スリット３９を通して単一のラベル片４のみがアンテナモジュール１０に対向することができるようにしている。
【００３０】
支持台２６は、電波遮断体２１の内部を、ラベル連続体１の移送空間部４０と、アンテナモジュール１０の格納空間部４１と、に区画する。
【００３１】
なお、ラベル連続体１のラベル片４がアンテナモジュール１０と同等の大きさである場合には、あるいは、アンテナモジュール１０をラベル片４と同等の大きさの小型のものであれば、電波遮断体２１の内部に単一のラベル片４のみを位置させることができるので、当該支持台２６を設ける必要はない。
【００３２】
電波吸収体２７は、電波遮断体２１の内壁面の必要な面すべてにこれを取り付けるもので、所定の周波数帯の電波を吸収可能なものが使用可能である。たとえば、フェライトのような焼結体、磁性体の粉体や磁性体の針状結晶、鉄などの金属粉、繊維状に加工した金属を合成ゴムや合成樹脂に練り込んだもの、グラファイトや炭素繊維を単独あるいは磁性体と一緒に練り込んだものが挙げられる。
電波吸収体２７として用いる具体的な電磁波吸収シート製品としては、ニッタ株式会社製、パターン吸収シート、製品名：ＰＦＮ１０、ＰＦＮ２０（２．４ＧＨｚ帯）、ＰＦＮ１４−９５０Ｍ（ＵＨＦ帯）が好適である。
移送空間部４０においては、検査ハウジング２３の内周面、天蓋２５の内壁面に電波吸収体２７を設けているとともに、格納空間部４１においては、検査ハウジング２３の内周面、モジュール固定板３４とアンテナモジュール１０との間、支持台２６がアンテナモジュール１０に向かう下面に電波吸収体２７を設けている。
なお、支持台２６の下面の電波吸収体２７にも照射用支持台スリット３９に対応してこれに相当する、ただし、照射用支持台スリット３９よりわずかに狭い照射用吸収体スリット４２を形成している。
【００３３】
こうした構成のＲＦＩＤ情報媒体の通信性能検査装置２０において、電波遮断体２１の導入口２８から導出口２９にかけてラベル連続体１を移送空間部４０内で移送するとともに、格納空間部４１におけるアンテナモジュール１０から検査用電波Ｗ１を照射用吸収体スリット４２および照射用支持台スリット３９を通してラベル連続体１の単一のラベル片４に照射することができる。
【００３４】
アンテナモジュール１０からの検査用電波Ｗ１は、検査対象となる単一のラベル片４のみに正確に向かうことができ、隣接するその他のラベル片４に向かう検査用電波Ｗ１は、とくに支持台２６の底面に貼り付けている電波吸収体２７に吸収されるとともに、支持台２６以外の部分に照射されてゆく検査用電波Ｗ１にもとづく検査ハウジング２３の内部での反射波Ｗ２（図３）も発生することがなく、反射波Ｗ２による影響を受けることがない。
もちろん、電波遮断体２１外部からの電波も電波遮断体２１により遮断可能であるとともに、万が一内部に侵入する可能性がある電波も電波吸収体２７により吸収されるため、検査ハウジング２３内部における性能検査に影響を及ぼすおそれはない。
【００３５】
さらに、距離計測器３５によりラベル連続体１（ラベル片４）とアンテナモジュール１０との間の距離を計測確認することができる。
したがって、実際の検査現場において良好と判断されて実際の検査運用が可能なラベル片４を基準とし、アンテナモジュール１０の出力とアンテナモジュール１０からのラベル片４の物理的な距離を可変することにより、このラベル片４を基準サンプルとして通信性能を安定して継続的に検査することができる。
【００３６】
しかも、電波遮断体２１内に限った比較的狭い省スペース内で、ラベル連続体１（ラベル片４）の通信性能の検査を行うことができる。
【００３７】
なお、支持台２６の照射用支持台スリット３９や、電波吸収体２７の照射用吸収体スリット４２は、その開口部のサイズを可変にしておくことにより、さまざまなサイズのラベル片４やＲＦＩＤアンテナ７の検査が可能となる。
【符号の説明】
【００３８】
１  ラベル連続体（ＲＦＩＤ連続体、図１、図２（１））
２  タグ連続体（ＲＦＩＤ連続体、図２（２））
３  台紙
４  ラベル片（ＲＦＩＤ情報媒体）
５  粘着剤層
６  ＩＣチップ
７  ＲＦＩＤアンテナ
８  タグ片（ＲＦＩＤ情報媒体）
９  ミシン目
１０  アンテナモジュール
２０  ＲＦＩＤ情報媒体の通信性能検査装置（実施例、図１）
２１  電波遮断体
２２  支柱
２３  検査ハウジング
２４  底板
２５  天蓋
２６  支持台
２７  電波吸収体
２８  導入口
２９  導出口
３０  ラベル連続体１の供給部
３１  ラベル連続体１の巻取り部
３２  ネジ付きロッド
３３  つまみ
３４  モジュール固定板
３５  距離計測器
３６  計測ロッド
３７  指針
３８  距離計測目盛り
３９  照射用支持台スリット
４０  移送空間部
４１  格納空間部
４２  照射用吸収体スリット
Ｗ１  検査用電波（図１、図３）
Ｗ２  反射波（図３）
【図１】
2012234250.tif 000003
【図２】
2012234250.tif 000004
【図３】
2012234250.tif 000005